(57)【要約】本発明は、骨用ねじ、該ねじのねじ山の製造方法及び該ねじ用の孔をあけるためのドリルに関する。前記骨用ねじは骨折における骨の断片の固定のためのインプラントに適合し、且つ前記骨折における骨断片にねじ込むのに適合したねじ部もしくはねじ付き部（１６）を構成する。前記ねじ部（１６）は前記骨用ねじ（６）の前端部（１７）からねじ切りされない部分（１８）へ向かって後方向に広がり、且つ同じ外径（ＹＤ）を備えたねじ山（１９）を有する。前記ねじ山（１９）は同じピッチのねじ山（Ｐ）を有し、コア（２１）から広がる。前記骨用ねじ（６）の前端部（１７）に一番近いコア（２１）の少なくとも前端部は円錐形であり、前記前端部（１７）において最小の直径（ＭＤ）を有する。前記ねじ山（１９）は切頭された頂部（２３）を有し且つ前記ねじ山（１９）の前記頂部（２３）の幅（ｂ１−ｂ７）は前記前端部（１７）から後方向に増加する。前記ねじ山（１９）間の溝（２０）の幅（Ｂ１−Ｂ６）は前記頂部（２３）の幅（ｂ１−ｂ７）が増加するに従って減少する。
2004525681.tif 000002
【特許請求の範囲】
【請求項１】
骨折における骨断片の固定用インプラントのための骨用ねじであり、前記骨用ねじ（６）は骨折部（２）の骨断片（４）にねじ込むのに適合するねじ部もしくはねじ付き部（１６）を構成し、
前記ねじ部（１６）は前記骨用ねじ（６）の前端部（１７）からそのねじ切りされない部分（１８）に後方向へ延在し、
前記ねじ部（１６）は同じ外径（ＹＤ）のねじ山を有し、
前記ねじ部（１６）の前記ねじ山（１９）は同じピッチのねじ山（Ｐ）を有し、及び
前記ねじ部（１６）のねじ山（１９）はコア（２１）から延在するよう構成される骨用ねじにおいて、
前記骨用ねじ（６）の前記前端部（１７）に最接近したコア（２１）の少なくとも前部は円錐形であり且つ前記前端部（１７）では最小の直径を有し、
少なくとも幾つかの前記ねじ山（１９）は切頭された頂部（２３）を有し、
少なくとも幾つかの前記ねじ山（１９）の前記頂部（２３）の幅（ｂ１−ｂ７）は前端部（１７）から後方向に増加し、且つ
前記ねじ山（１９）間の溝（２０）の幅（Ｂ１−Ｂ６）は前記頂部（２３）の幅（ｂ１−ｂ７）が増加するに従って減少することを特徴とする骨用ねじ。
【請求項２】
全てのねじ山（１９）の頂部（２３）の幅（ｂ１−ｂ７）もしくはそれらの少なくとも大部分の幅は前記前端部（１７）から後方向に徐々に増加し、且つ
前記ねじ山（１９）間の全ての溝（２０）の前記幅（Ｂ１−Ｂ６）もしくはそれらの大部分の幅は前記前端部（１７）から後方向に徐々に減少することを特徴とする請求項１に記載の骨用ねじ。
【請求項３】
前記ねじ山（１９）の大部分、好適には全ての完全なねじ山（１９）は切頭された頂部（２３）を有することを特徴とする請求項１又は２に記載の骨用ねじ。
【請求項４】
各ねじ山（１９）は前記ねじ部（１６）の縦軸（Ｌ１）に対して外側／後側に傾き且つ前記縦軸に対して７０°±１０％の角度を形成もしくは画定する正面部（１９ａ）を有し、且つ
各ねじ山（１９）は前記縦軸（Ｌ１）に対して９０°±５％の角度を形成もしくは画定する背面部（１９ｂ）を有することを特徴とする請求項１乃至３のいずれかに記載の骨用ねじ。
【請求項５】
前記ねじ山（１９）の前記ねじピッチ（Ｐ）は前記ねじ山（１９）の外径（ＹＤ）が１２．７ｍｍにおいて３．２、外径（ＹＤ）が６．５ｍｍにおいて２．６の範囲内であり、且つ
前記ねじピッチ（Ｐ）は好適には外径（ＹＤ）が１２．７ｍｍ±１０％において３．２であることを特徴とする請求項１乃至４のいずれかに記載の骨用ねじ。
【請求項６】
前記一番狭い頂部（２３）の前記幅（ｂ１）は０．２ｍｍ±１０％であるのに対し前記一番広い頂部（２３）の幅（ｂ７）は１．０±１０％であり、且つ
前記ねじ山（１９）間の前記一番広い溝（２０）の前記幅（Ｂ１）は２．５ｍｍ±１０％であるのに対し前記一番狭い溝（２０）の幅（Ｂ６）は２．０ｍｍ±１０％であることを特徴とする請求項１乃至５のいずれかに記載の骨用ねじ。
【請求項７】
前記コア（２１）は前記ねじ部（１６）の前記長さ（Ｌ）の全体あるいは少なくとも実質的な部分に沿って円錐形であることを特徴とする請求項１乃至６のいずれかに記載の骨用ねじ。
【請求項８】
前記コア（２１）の前記直径は前記前端部（１７）において最小の直径（ＭＤ）から骨用ねじ（６）のねじ部あるいはねじ付き部（１６）とねじ切りされない部分（１８）との遷移部（２２）における最大直径（ＳＤ）へ後方向に徐々に増加することを特徴とする請求項６に記載の骨用ねじ。
【請求項９】
前記コア（２１）は前記前端部（１７）の一番近くに円錐部を有し前記円錐部の後ろに円柱部を有し前記円柱部の後ろに円錐部を有することを特徴とする請求項１乃至６のいずれかに記載の骨用ねじ。
【請求項１０】
前記コア（２１）の長手方向一側面もしくはその部分は前記ねじ部（１６）の前記縦軸（Ｌ１）と２−４°±１０％、好適には３°±１０％の傾斜角（α）を形成することを特徴とする請求項１乃至９のいずれかに記載の骨用ねじ。
【請求項１１】
前記ねじ部（１６）において６−９、好適には８つの完全なねじ山（１９）が存在し、且つ
前記ねじ山（１９）は６−１３ｍｍ±１０％の外径を有することを特徴とする請求項１乃至１０のいずれかに記載の骨用ねじ。
【請求項１２】
骨用ねじの長手方向にガイドワイヤ用の貫通孔を有しない中実であることを特徴とする請求項１乃至１１のいずれかに記載の骨用ねじ。
【請求項１３】
骨用ねじの長手方向にガイドワイヤ（２６）用の貫通孔（２５）を有することを特徴とする請求項１乃至１１のいずれかに記載の骨用ねじ。
【請求項１４】
前記骨インプラント（５）に結合することができ、結合後にそれに対して回転可能であることを特徴とする請求項１乃至１３のいずれかに記載の骨用ねじ。
【請求項１５】
骨インプラントの形において前記インプラント上のスリーブ（８）内に合うように設計され、前記スリーブ（８）は前記大腿骨骨折部（２）の一方側の骨断片（４）に形成される孔（１１）に挿入されるよう適合され且つ前記スリーブ（８）はスクリュー（１０）のための孔（９）、好適には長孔を有するプレート（７）あるいはその類似物に結合され、前記プレート（７）を前記大腿骨骨折部（２）の他方の側の骨断片（３）にしっかりと固定することを特徴とする請求項１乃至１４のいずれかに記載の骨用ねじ。
【請求項１６】
右脚における大腿骨骨折部（２）の骨断片（３，４）を固定するための骨用ねじ（６）は右回りのねじ山を有し、且つ
左脚における大腿骨骨折部（２）の骨断片（３，４）を固定するための骨用ねじ（６）は左回りのねじ山を有することを特徴とする請求項１乃至１５のいずれかに記載の骨用ねじ。
【請求項１７】
前記ねじ山（１９）間の前記溝（２０）を異なる深さを有する溝（２０）を圧延するために設計された圧延具（２７）を使用して圧延し、
前記圧延具（２７）で前記骨用ねじの前端部（１７）に一番接近した最大の深さを有し且つその深さが前記前端部（１７）から後方向に減少し円錐状コア（２１）を形成させ前記コアからねじ山（１９）が延在する溝（２０）を圧延するようにし、
前記圧延具（２７）でねじ山（１９）を一定のねじピッチに切断させ、
前記圧延具（２７）で切頭された頂部（２３）を有するねじ山（１９）を設け、その頂部の幅（ｂ１−ｂ７）が前記前端部（１７）から後方向に増加するようにし、且つ
前記圧延具（２７）で前記ねじ山（１９）間の溝（２０）を設け、その溝の幅（Ｂ１−Ｂ６）が前記切頭された頂部（２３）の幅（ｂ１−ｂ７）が増加するに従い前記前端部（１７）から後方向に減少するようにしたことを特徴とする請求項１乃至１６のいずれかに記載の骨用ねじ（６）のねじ山の製造方法。
【請求項１８】
骨用ねじ（６）の骨断片（４）に孔（１４）を孔あけするためのドリルにおいて、
前記ドリル（１５）は前記骨断片（４）に前記コア（２１）用の円錐形孔（１４）を孔あけするために円錐形であるかあるいは円錐形前部を有し、且つ
前記円錐形ドリル（１５）あるいはその円錐形前部の長手方向側面部とその縦軸（Ｌ２）とが形成する傾斜角（β）は前記骨用ねじの前記コア（２１）の長手方向側面部と前記骨用ねじの前記ねじ部（１６）の縦軸（Ｌ１）とが形成する前記傾斜角（α）と一致あるいは実質的に一致することを特徴とする請求項１乃至１６のいずれかに記載のドリル。
【発明の詳細な説明】
【０００１】
本発明は、骨折における骨の断片の固定のための移植用の骨用ねじに関するものであり、前記骨用ねじは骨折における骨の断片にねじ込むのに適合したねじ部もしくはねじ付き部を有する。そのねじ部は、骨用ねじの前端部からねじ切りされない部分まで後方に延在し、且つ同じ外径のねじ山を有する。ねじ部にあるねじ山はコアから広がり、ねじ部のねじ山は同じピッチのねじ山を有する。本発明は、またその骨用ねじのねじ山の製造方法及び該ねじ用の孔をあけるためのドリルに関する。
【０００２】
大腿骨骨折における骨断片の固定のための骨移植用の骨用ねじ（いわゆるラグネジ）は、例えば米国特許第５８３６９５０号明細書により従来から公知である。このような骨用ねじは、ねじ山間の溝の幅が全部分に沿って同じである。この設計は周囲の骨物質に対してしっかり固定されるには最適ではなく、特に前記骨物質が骨粗しょう症である場合には不適切である。
【０００３】
また、ねじ部が円柱状コアを有する従来の骨用ねじも存在する。このような骨用ねじを骨物質にねじ込むためには、通常その円柱状コアが挿入される孔を形成するために予めその骨物質を穴あけする必要があり、もしくは、前記孔を形成するために前端部分にドリルビットを有する特別な骨用ねじを使用する必要がある。
【０００４】
従来の骨用ねじにおけるねじ山は、通常、別のねじタップあるいは骨用ねじを形成するためのねじタップを使って骨用ねじのねじ山用に骨物質にねじ山を削らなければならないような設計である。
【０００５】
本願発明の目的は、特に骨粗しょう症である場合の骨物質を固定するために、また骨粗しょう症である場合の骨物質において、コア用にその骨物質を予め穴あけする必要をなくすためにより改善された特徴を有する骨用ねじを提供することである。このことは、本願の請求項１に係る特徴事項を有する骨用ねじを提供することで達成できる。
【０００６】
本発明の他の目的は、前記骨用ねじのねじ山を製造する方法であり、この方法は、本願請求項１７に係る特徴事項の手段を含む。
【０００７】
更に別の目的は、前記骨ねじにより固定するために骨断片を予め穴あけする必要がある場合に使用されるドリルを提供することにある。このことは、請求項１８に係る特徴事項を有するドリルを提供することで達成できる。
【０００８】
請求項１に係る特徴事項を有する骨用ねじのコアは円錐形であるため、そのコア用に多孔質の骨物質を予め孔あけする必要なくその骨物質にねじ込まれる。更に、その円錐形コアは、半径方向外側方向に周囲の骨物質を押しつける「鋤」のような機能を有する。すなわち、骨用ねじのねじ部に最接近した骨物質を圧縮する。
【０００９】
本願の請求項１の特徴事項に係る骨用ねじが切頭された頂部を有するねじ山を備えたねじ部であり、その切頭された頂部の幅は後方に向かって増加し、すなわち前方では薄いねじ山で後方にいくに従い厚いねじ山を有するため、別のねじタップあるいは骨用ねじを形成するためのねじタップを使って行う替わりに骨用ねじのねじ山で直接周囲の骨物質にねじ山を削ることが可能である。
【００１０】
ねじ山の頂部の幅が増加することによりねじ山間の溝の幅が減少するため、周囲の骨物質は骨用ねじが前記骨物質にねじ込まれる際にそのねじ山により押しつけられることを実現する。
【００１１】
また、ねじ山の幅が前方で薄く、徐々に増加し、且つねじ山間の溝の幅が減少するような円錐形コアを有する別の利点として、骨用ねじは、その骨物質にねじ込まれる際に骨粗しょう症の骨物質においてもしっかりしたグリップを得ることができる点である。
【００１２】
本発明を添付する図面に沿って以下にさらに説明する。
【００１３】
図１−６は、概略的に大腿骨を示し、その大腿骨骨幹１は大腿骨骨折部２、図の例においてより詳しくは、転子下の骨折を有するものを示している。大腿骨骨折部２の下方にある骨断片３は、大腿骨骨幹１の要部を含み、一方大腿骨骨折部２の上方にある骨断片４は大腿骨頭部を含む。骨断片３及び４を互いに固定するために、多様なタイプのインプラントを使用することができ、例えば、図１に示されるようなインプラント５を使用することができ、またそれと共同して骨用ねじ６（いわゆるラグネジ）が使用される。
【００１４】
インプラント５は、プレート７もしくはそれ相当の部材及びスリーブ８もしくはそれ相当の部材を構成する。プレート７は、下方の骨断片３にしっかり結合あるいは固定されるようにねじ１０を貫通させるための４つのあるいは別の適切な数の長孔９を有する。スクリュー１０及び下方の骨断片３が上方の骨断片４に向かって上方向に移動できるように長孔９及びその内部に配置されるスクリュー１０が設置される。スリーブ８は、上方の骨断片４にある孔１３に挿入され、また骨用ねじ６のための孔１２を有するスリーブは上方の骨断片４にしっかり固定される。スリーブ８は、骨用ねじ６に対してその長さ方向にスライドすることができ、スリーブ８と同様に骨用ねじ６は、それがスリーブ８の内部にスライドする際にスリーブ８に対して回転できないようにそれ自体が公知の方法により設計される。このような回転を防ぐ実施形態は公知であるため、図面には示さない。最終的には骨用ねじ６に対してスリーブ８がスライドする際、防ぐあるいは制限することが必要な場合には、（図示しないが）ストップスクリューなどがある。
【００１５】
孔１３はドリル１５により予め孔あけされる。最終的には、ドリル１５は、スリーブ８用の孔１３を孔あけするための後部１５ｂと、骨用ねじ６のねじ部もしくはねじ付き部１６のコア２１用の孔１４を穴あけするための前部１５ａを有するいわゆる段付きドリルである。しかしながら、ねじ部１６はもし骨物質が骨粗しょう症であればその骨物質にねじ込まれるように設計されるため、孔１４を孔あけする必要は必ずしもない。
【００１６】
特に、骨用ねじ６の使用方法は、通常、それ自体は公知の方法においてガイドワイヤ（図示しない）用の細い孔（例えば直径３．２ｍｍを有する）を穴あけすることから始める。次に、その細い孔を骨用ねじ６のねじ切りされない部分１８のためにより大きな直径を有する孔１３に穴あけされ、もし骨物質の多孔質部が骨粗しょう症でない場合には、その細い孔はねじ部１６用の孔１３よりも小さい直径を有する孔１４にも孔あけされる。もし、骨物質が骨粗しょう症であれば、細い孔の内側部分は孔１４が形成されるようには孔あけされない。このガイドワイヤは必要なくなったら取り外される。
【００１７】
骨用ねじ６は前端部１７を有し、そのねじ部１６は、そこからねじ切りされない部分１８へ向かって後方向に延在する。ねじ部１６はねじ山１９とそのねじ山間の溝２０とから構成される。ねじ山１９はねじ部１６に沿って同じあるいは実質的に同じ外径ＹＤを有する。
【００１８】
ねじ山１９は円形断面を有するコア２１から延在し、且つねじ部１６部分あるいは好適にはねじ部１６の全長Ｌに沿って延在する。少なくともコア２１の前部は円錐形であり、少なくともコア２１の直径ＭＤを前端部１７の先端部に設定する。コア２１の直径は、後方向に従い徐々に大きくなり、ねじ部１６とねじ切りされない部分１８との遷移部２２で最大の直径ＳＤを有する。コア２１の長手方向各側面は例えば、ねじ部１６の縦軸Ｌ１と傾斜角αが２−４°で画定される。図示される骨用ねじ６においてはこの角度αは３°である。
【００１９】
コア２１の形状は図示されるようにねじ部１６の全長Lに沿って円錐状とすることができるが、コア２１の形状は別の態様では上記全長Ｌの一部に沿ってのみ円錐状とすることもできる。コア２１の特別な実施形態の例として、円錐状前部と、その円錐状前部の後方の円柱部と、その円柱部の後方にねじ切りされない部分１８まで後方に延在するかあるいはその周辺まで延在する別の円錐部を有する。
【００２０】
ねじ山１６のねじ山１９は同じねじ山ピッチＰを有し、図示される骨用ねじ６は例えば外径ＹＤが１２．７ｍｍでねじ山ピッチが３．２を有する。骨用ねじ６のねじ山ピッチが例えば外径ＹＤが８．０ｍｍで３．０、外径が６．５ｍｍでは２．６の範囲内で示される。後半のピッチ２．６を有する骨用ねじは、外固定用に適合する。
【００２１】
少なくともねじ山１９のいくつかは、切頭された頂部２３を有し、これら頂部は平面的に切り取られた先端部２４もしくは他の形状を有する。これら少なくともいくつかの頂部２３の幅ｂ１−ｂ７は前端部１７から後方向に従い増加する。好適には頂部の幅ｂ１−ｂ７は前端部１７に１番接近した第１のねじ山１９の頂部２３は狭く、一方、後方向にある次のねじ山１９の頂部２３はより広くなるように段々と増加する。
【００２２】
ねじ山１９はおなじピッチＰを有するため、このねじ山間の少なくともいくつかの溝２０の幅Ｂ１−Ｂ６は、頂部２３の幅ｂ１−ｂ７が増加することにより後方向にいくに従い減少する。
【００２３】
ねじ山１９間の溝２０の幅Ｂ１−Ｂ６が減少もしくは縮小するということは、前端部１７に最接近した第１の溝２０は１番広くし、一方、その後ろにある溝の幅は減少し、好適には徐々に減少することを意味する。
【００２４】
好適には、ねじ部１６にある全てのねじ山１９は幅が増加する頂部を有し、さらに好適にはねじ山間の全ての溝２０が減少する幅を有する。
【００２５】
各ねじ山１９は、前端部１７及びねじ部１６の縦軸Ｌ１に対して外側／後側に傾き、且つそれらに対して７０°±１０％の角度を画定もしくは形成する正面部を有する。各ねじ山１９は、また前記縦軸Ｌ１に対して９０°±５％の角度を画定もしくは形成する背面部を有する。この結果、ねじ山１９の正面部１９ａは、円錐状となるため骨用ねじ６を骨物質にねじ込むことを促進し、またそれらの背面部は横切るよう形成されるため骨用ねじ６が骨物質の中に保持される。
【００２６】
（前端部１７に一番接近して配置されるねじ山１９における）１番狭い頂部２３の幅ｂ１は、例えば０．２ｍｍ±１０％となり、（前端部１７から１番離れて配置されるねじ山１９における）１番広い頂部２３の幅ｂ７は、例えば１．０ｍｍ±１０％である。
【００２７】
（前記前端部１７に一番接近する）１番広い溝２０の幅Ｂ１は２．５ｍｍ±１０％であり、（前記前端部１７から１番離れて配置される）１番狭い溝２０の幅Ｂ６は例えば２．０ｍｍ±１０％である。
【００２８】
上記設計もしくはそれに近い設計を有する骨用ねじ６の実施例として、以下の寸法を有する。
【００２９】
１）ねじ部１６の長さＬは２１−２５ｍｍの範囲内にあり、好適には２３ｍｍ±５％であり、
２）ねじ部１６において、６−９、好適には８つの完全なねじ山１９が存在し、更に
３）ねじ山１９は、６−１３ｍｍ±１０％の範囲内、好適には８ｍｍ±５％である外径ＹＤを有する。
【００３０】
骨用ねじは、どちらかといえば中実であり、すなわちガイドワイヤ用の孔がないかあるいはガイドワイヤ２６用の長孔２５を有する。後半の実施態様は図２において破線で示される。
【００３１】
右脚と左脚では、上記構造もしくは相当の構造を有する骨用ねじ６は異なる。右脚では、これらの骨用ねじは右回りのねじ山であり（例えば図２）、一方左脚では、それらは左回りのねじ山である（図４）。
【００３２】
これにより、骨用ねじ６が右脚か左脚のどちらかに配置されるかにより異なる方向に力が骨物質にかかる影響のため骨物質から骨用ねじ自体が抜けないように骨用ねじ６の能力を向上できる。
【００３３】
ねじ部１６及び他のタイプの骨用ねじのねじ部を製造する方法は、図５において概略的に示すように、圧延具２７によりねじ山１９間の溝２０を圧延する方法であり、前記圧延具２７はねじ山１９の頂部を圧延するためのフライス面がなく、すなわち、この圧延具２７によりねじ山１９間で異なった深さを有する溝２０を圧延することが可能となる。
【００３４】
この圧延具２７により溝２０は骨用ねじ６の前端部１７で１番深く圧延され、且つ、その深さは前端部１７から後方向に向かって減少し、ねじ部１６において円錐状コア２１を形成する。
【００３５】
圧延具２７はねじ山１９を一定の、整然としたピッチを有するねじ山１９を切ることも可能である。また、圧延具は、前端部１７から後方向に増加する幅ｂ１−ｂ７を有する切頭された頂部２３を有するねじ山１９を提供することも可能である。更に、圧延具２７は、切頭された頂部２３が幅ｂ１−ｂ７で増加するに従い、後方向に減少する幅Ｂ１−Ｂ６を有する溝として、ねじ山１９間の溝２０を提供することも可能である。
【００３６】
圧延具２７は三つのフライス面、すなわち、ねじ山１９間の溝２０の底部を圧延するためのフライス面２７ａ、ねじ山１９の背面部１９ｂ用のフライス面２７ｂ、及びねじ山１９の正面部１９ａ用のフライス面２７ｃを有する。
【００３７】
圧延する間、骨用ねじ６は回転方向Ｒ１で回転し、圧延具２７は回転方向Ｒ２で回転する。圧延する間の運転中の動作パターンは変化する。すなわち、圧延具２７は、骨用ねじ６に対する動作Ｆの軸方向に実質的に移動することができるか、もしくは、骨用ねじ６が、圧延具２７に対して対応する方向に結果として移動することができる。異なった深さを有する溝２０を圧延するために、圧延具２７は骨用ねじ６に対して角度α、あるいは反対の、すなわち、コア２１の長手方向側面がねじ部１６の縦軸Ｌ１と形成するあるいは画定する角度αをもって斜め方向に移動される。
【００３８】
図示する態様では、骨用ねじ６のねじ山は、そのねじ切りされない部分１８よりもより大きい外径ＹＤを有する。しかしながら、特に骨用ねじが髄内用くぎと一緒に使用する場合には、上記ねじ山の外径ＹＤはねじ切りされない部分の外径と等しくされる。
【００３９】
ドリル１５の前部１５ａは、好適には骨用ねじ６の円錐状コア２１用の円錐形孔１４を孔あけするために、円錐形である。前部１５ａの長手方向側面部とその縦軸Ｌ２とのなす角βは、コア２１の長手方向側面部とねじ部１６の縦軸Ｌ１とが形成する傾斜角αと一致する。
【００４０】
本発明は、前述した、もしくは図に示した骨用ねじもしくはドリルに限ることなく、また、前述したねじ山を形成する方法に限ることなく、上記実施態様及びその方法は後続の請求項の範囲内において変化し得る。
【００４１】
骨用ねじ６は転子下大腿骨骨折以外の他の骨折、上腕骨折などに使用することができ、更に、前述した、もしくは図示した骨インプラントとは完全に異なる骨インプラント、例えば外固定のためのインプラントなどにも使用可能である。
【図面の簡単な説明】
【００４２】
【図１】大腿骨骨折における骨断片の固定用に適合させた、断面で部分的に示した骨インプラントと共同した本発明による骨用ねじを示す。
【図２】大縮尺による本発明の骨用ねじの前方部を示す。
【図３】骨断片にねじ込まれた図２の骨用ねじの前方部を示す。
【図４】図１−３に示すものと同じタイプの骨用ねじにおいて右回りねじの替わりに左回りねじである骨用ねじの前方部を示す。
【図５】図１−３に示す骨用ねじの前方部と、その骨用ねじのねじ山を圧延するための圧延具を概略的に示す。
【図６】骨断片に孔を開けた後の骨断片に存在する本発明のドリルを示す。
【図１】
2004525681.tif 000003
【図２】
2004525681.tif 000004
【図３】
2004525681.tif 000005
【図４】
2004525681.tif 000006
【図５】
2004525681.tif 000007
【図６】
2004525681.tif 000008
【国際公開パンフレット】
2004525681.tif 000009
2004525681.tif 000010
2004525681.tif 000011
2004525681.tif 000012
2004525681.tif 000013
2004525681.tif 000014
2004525681.tif 000015
2004525681.tif 000016
2004525681.tif 000017
2004525681.tif 000018
2004525681.tif 000019
2004525681.tif 000020
2004525681.tif 000021
2004525681.tif 000022
2004525681.tif 000023
2004525681.tif 000024
2004525681.tif 000025
2004525681.tif 000026
2004525681.tif 000027
2004525681.tif 000028
2004525681.tif 000029
【国際調査報告】
2004525681.tif 000030
2004525681.tif 000031
2004525681.tif 000032